(57)【要約】【課題】メッセージ情報の表示によるユーザの不快感を低減し、且つ、ユーザにとって有益なメッセージ情報を表示することのできるデジタル放送受信装置及びその制御方法を提供する。【解決手段】本発明のデジタル放送受信装置は、メッセージ情報を受信して表示部に表示するデジタル放送受信装置であって、前記メッセージ情報、デジタル放送受信装置の機能のうち該メッセージ情報に関連する機能、及び、該機能の使用頻度を互いに関連付けて記憶する記憶手段と、受信したメッセージ情報に関連する機能の使用頻度に基づいて、該メッセージ情報が表示すべきものか否かを判断する判断手段と、前記判断手段の結果に応じて前記受信したメッセージ情報の前記表示部への表示を制御する制御手段と、を有することを特徴とする。【選択図】図１
2010081186.tif 000002
【特許請求の範囲】
【請求項１】
メッセージ情報を受信して表示部に表示するデジタル放送受信装置であって、
前記メッセージ情報、デジタル放送受信装置の機能のうち該メッセージ情報に関連する機能、及び、該機能の使用頻度を互いに関連付けて記憶する記憶手段と、
受信したメッセージ情報に関連する機能の使用頻度に基づいて、該メッセージ情報が表示すべきものか否かを判断する判断手段と、
前記判断手段の結果に応じて前記受信したメッセージ情報の前記表示部への表示を制御する制御手段と、
を有することを特徴とするデジタル放送受信装置。
【請求項２】
受信したメッセージ情報が緊急のものか否かを判別する判別手段を有し、
前記制御手段は、
前記判別手段で緊急のメッセージ情報であると判別された場合、前記受信したメッセージ情報を直ちに前記表示部に表示する
ことを特徴とする請求項１に記載のデジタル放送受信装置。
【請求項３】
前記制御手段は、
前記受信したメッセージ情報が前記判断手段で表示すべきものであると判断された場合、当該メッセージ情報を前記表示部に表示し、
前記受信したメッセージ情報が前記判断手段で表示すべきものでないと判断された場合、当該メッセージ情報を前記表示部に表示しない
ことを特徴とする請求項１または２に記載のデジタル放送受信装置。
【請求項４】
前記制御手段は、前記受信したメッセージ情報が前記判断手段で表示すべきものであると判断された場合、視聴ソースが切り換わった際に、当該メッセージ情報を前記表示部に表示する
ことを特徴とする請求項１〜３のいずれか１項に記載のデジタル放送受信装置。
【請求項５】
前記制御手段は、前記受信したメッセージ情報が前記判断手段で表示すべきものであると判断された場合、当該メッセージ情報に関連する機能が使用された際に、当該メッセージ情報を前記表示部に表示する
ことを特徴とする請求項１〜３のいずれか１項に記載のデジタル放送受信装置。
【請求項６】
ユーザが視聴している放送信号がＣＭを表す信号か否かを検出するＣＭ検出手段を有し、
前記制御手段は、前記受信したメッセージ情報が前記判断手段で表示すべきものであると判断された場合、前記ＣＭ検出手段で放送信号がＣＭを表す信号であることが検出された際に、当該メッセージ情報を前記表示部に表示する
ことを特徴とする請求項１〜３のいずれか１項に記載のデジタル放送受信装置。
【請求項７】
前記制御手段は、前記デジタル放送受信装置がスタンバイ状態のときに受信したメッセージ情報が前記判断手段で表示すべきものであると判断された場合、前記デジタル放送受信装置がＯＮ状態に切り換わった際に、当該メッセージ情報を前記表示部に表示する
ことを特徴とする請求項１〜３のいずれか１項に記載のデジタル放送受信装置。
【請求項８】
前記メッセージ情報は、前記デジタル放送受信装置内で発生したエラーを表すメッセージ情報、放送局から送信される放送信号に関する付帯情報であるメッセージ情報、及び、ＴＶメーカが独自に作成したメッセージ情報を含む
ことを特徴とする請求項１〜７のいずれか１項に記載のデジタル放送受信装置。
【請求項９】
メッセージ情報を受信して表示部に表示するデジタル放送受信装置の制御方法であって、
前記メッセージ情報、デジタル放送受信装置の機能のうち該メッセージ情報に関連する機能、及び、該機能の使用頻度を互いに関連付けて記憶するステップと、
受信したメッセージ情報に関連する機能の使用頻度に基づいて、該メッセージ情報が表示すべきものか否かを判断するステップと、
前記判断の結果に応じて前記受信したメッセージ情報の前記表示部への表示を制御するステップと、
を含むことを特徴とするデジタル放送受信装置の制御方法。
【発明の詳細な説明】
【技術分野】
【０００１】
本発明は、デジタル放送受信装置、及び、警告・お知らせ等のメッセージ情報を表示する際のデジタル放送受信装置の制御方法に関する。
【背景技術】
【０００２】
近年、デジタル放送受信装置の機能の多様化／複雑化により、ユーザに対してテレビ画面に表示される警告、お知らせ等のメッセージ情報の種類と数が増加している。警告、お知らせ等のメッセージ情報としては、デジタル放送受信装置内で発生したエラーなどを表すメッセージ情報、放送局から送信される放送信号に関する付帯情報であるメッセージ情報、ＴＶメーカが独自に作成したメッセージ情報等がある。
【０００３】
デジタル放送受信装置内で発生したエラーなどを表すメッセージ情報としては、放送波の受信レベル劣化、通信速度の低下、機能の組み合わせ使用制限などによるものや、ハードウェアの機能による故障の診断結果（故障自己診断結果）などがある。放送局から送信される放送信号に関するメッセージ情報としては、番組告知、放送局追加告知、緊急警報等がある。ＴＶメーカが独自に作成したメッセージ情報としては、新製品の情報、使用中のテレビに関する不具合情報などがある。
【０００４】
これら多種多様に渡るメッセージ情報の発生予測は非常に困難なものである。また、ユーザがあまり使用しない機能に関するメッセージ情報も選別なく表示されてしまうため、メッセージ情報の表示によりユーザが不快感を抱く虞がある。また、複数のメッセージ情報が同時に送られた場合、ユーザが、自身にとって重要な情報であるはずのメッセージを見落としてしまう虞がある。デジタル放送の普及とともに、これらの問題の発生頻度は拡大するものと思われる。
【０００５】
上記問題を解決する手法として、特許文献１に開示されている技術がある。特許文献１には、マルチディスプレイ環境において、ウィンドウを表示する場合のウィンドウの配置位置を、ユーザのウィンドウの使用頻度に応じて決める技術が開示されている。
【０００６】
【特許文献１】特開２０００−２９８５４２号公報
【発明の開示】
【発明が解決しようとする課題】
【０００７】
しかしながら、上述した従来技術の手法をデジタル放送受信装置に適応した場合、メッセージ情報の表示頻度が高いもの程重要であると判断することになってしまう。そのため、まだ表示されていないメッセージ情報は、たとえユーザにとって有益な情報であったとしても、重要度（優先度）が低い情報であると判断されてしまうため、当該メッセージ情報が表示されなくなってしまうという問題がある。
【０００８】
そこで、本発明は、上記実情に鑑みてなされたものであり、メッセージ情報の表示によるユーザの不快感を低減し、且つ、ユーザにとって有益なメッセージ情報を表示することのできるデジタル放送受信装置及びその制御方法を提供することを目的とする。
【課題を解決するための手段】
【０００９】
本発明のデジタル放送受信装置は、
メッセージ情報を受信して表示部に表示するデジタル放送受信装置であって、
前記メッセージ情報、デジタル放送受信装置の機能のうち該メッセージ情報に関連する
機能、及び、該機能の使用頻度を互いに関連付けて記憶する記憶手段と、
受信したメッセージ情報に関連する機能の使用頻度に基づいて、該メッセージ情報が表示すべきものか否かを判断する判断手段と、
前記判断手段の結果に応じて前記受信したメッセージ情報の前記表示部への表示を制御する制御手段と、
を有することを特徴とする。
【００１０】
本発明のデジタル放送受信装置の制御方法は、
メッセージ情報を受信して表示部に表示するデジタル放送受信装置の制御方法であって、
前記メッセージ情報、デジタル放送受信装置の機能のうち該メッセージ情報に関連する機能、及び、該機能の使用頻度を互いに関連付けて記憶するステップと、
受信したメッセージ情報に関連する機能の使用頻度に基づいて、該メッセージ情報が表示すべきものか否かを判断するステップと、
前記判断の結果に応じて前記受信したメッセージ情報の前記表示部への表示を制御するステップと、
を含むことを特徴とする。
【発明の効果】
【００１１】
本発明によれば、メッセージ情報の表示によるユーザの不快感を低減し、且つ、ユーザにとって有益なメッセージ情報を表示することのできるデジタル放送受信装置及びその制御方法を提供することができる。
【発明を実施するための最良の形態】
【００１２】
＜実施例１＞
以下、図面を参照して、本発明の実施例を詳細に説明する。図１は、実施例１に係るデジタル放送受信装置１００の機能構成を大まかに示すブロック図である。
【００１３】
図１において、デジタル放送受信装置１００は、地アナチューナ部１０４、地デジチューナ部１０５、ＢＳ／ＣＳチューナ部１０６、ＮＴＳＣデコーダ部１０７、地デジ復調部１０８、ＢＳ／ＣＳ復調部１０９、及び、ＴＳデコーダ部１１０を備える。また、デジタル放送受信装置１００は、映像選択・重畳部１１１、表示部１１２、ネットワークインタフェース部１１３、外部インタフェース部１１４、メッセージメモリ部１１５、自己診断部１１６、及び、メッセージ受信管理部１１７を備える。更に、デジタル放送受信装置１００は、システム制御部１１９、使用頻度計測部１２０、及び、共通バス１２１を備える。本実施例に係るデジタル放送受信装置１００は、ネットワークインタフェース部１１３によってインターネット１２２に接続されており、外部インタフェース部１１４によって外部機器１２３に接続されている。
【００１４】
各機能ブロックは、それぞれ、自身で発生した種々のエラー等の警告の通知（警告通知情報）をメッセージ受信管理部１１７に送信する機能を有する。また、各機能ブロックは、それぞれ、自己診断部１１６の指示により自己診断し、その結果（自己診断結果情報）を自己診断部１１６に送信する機能を有する。具体的には、各機能ブロックは、自身でエラーが発生した際に、予め記憶されたメッセージ情報の内、当該エラーに対応するメッセージ情報を警告通知情報として送信する。例えば、地デジ復調部１０８が受信機能の劣化（受信劣化）を検出した場合、地デジ復調部１０８が当該受信劣化を表すメッセージ情報を送信する。
【００１５】
ＢＳ／ＣＳアンテナ１０１、地デジアンテナ１０２、地アナアンテナ１０３は、それぞれ、衛星デジタル放送、地上波デジタル放送、地上波アナログ放送を受信するためのアン
テナである。ＢＳ／ＣＳアンテナ１０１、地デジアンテナ１０２、地アナアンテナ１０３で受信された放送波（放送信号）は、それぞれ、対応するチューナへ送られる。
【００１６】
地アナチューナ部１０４は、地アナアンテナ１０３より受信した放送波（地上波アナログ放送信号）から、ユーザが選択した物理チャンネルに対応する周波数帯域を選択し、その周波数帯域に対応したいわゆる中間周波数信号（ＮＴＳＣ信号）を抽出する。そして、地アナチューナ部１０４は、抽出した中間周波数信号をＮＴＳＣデコーダ部１０７に送信する。物理チャンネルの切り替えはシステム制御部１１９からの指示により行なわれる。
【００１７】
地デジチューナ部１０５は、地デジアンテナ１０２より受信した放送波（地上波デジタル放送信号）から、ユーザが選択した物理チャンネルに対応する周波数帯域を選択する。そして、地デジチューナ部１０５は、その周波数帯域に対応したＯＦＤＭ（ＯｒｔｈｏｇｏｎａｌＦｒｅｑｕｅｎｃｙＤｉｖｉｓｉｏｎＭｕｌｔｉｐｌｅｘｉｎｇ）ベースバンド信号を抽出する。地デジチューナ部１０５は、抽出したＯＦＤＭベースバンド信号（ＯＤＦＭ信号）を地デジ復調部１０８に送信する。物理チャンネルの切り替えはシステム制御部１１９からの指示により行なわれる。
【００１８】
ＢＳ／ＣＳチューナ部１０６は、ＢＳ／ＣＳアンテナ１０１より受信した放送波（ＢＳ／ＣＳ放送信号）から、ユーザが選択した物理チャンネルに対応する周波数帯域を選択する。そして、ＢＳ／ＣＳチューナ部１０６は、その周波数帯域に対応した８相ＰＳＫ（Ｐｈａｓｅ  Ｓｈｉｆｔ  Ｋｅｙｉｎｇ）変調されたシングルキャリアベースバンド信号を抽出する。ＢＳ／ＣＳチューナ部１０６は、抽出したシングルキャリアベースバンド信号をＢＳ／ＣＳ復調部１０９に送信する。物理チャンネルの切り替えはシステム制御部１１９からの指示により行なわれる。
【００１９】
ＮＴＳＣデコーダ部１０７は、地アナチューナ部１０４より受信したＮＴＳＣ信号のＡ／Ｄ変換及びクロマ復調処理を行うことにより、デジタルビデオ信号を生成し、これを映像選択・重畳部１１１へ出力する。
【００２０】
地デジ復調部１０８は、地デジチューナ部１０５より受信したＯＦＤＭ信号の復調処理を行い（ＯＦＤＭ信号をＭＰＥＧ２−ＴＳ形式に復調し）、ＴＳデコーダ部１１０にこれを出力する。
【００２１】
ＢＳ／ＣＳ復調部１０９は、ＢＳ／ＣＳチューナ部１０６より受信したシングルキャリアベースバンド信号の復調処理を行い（シングルキャリアベースバンド信号をＭＰＥＧ２−ＴＳ形式に復調し）、ＴＳデコーダ部１１０にこれを出力する。
【００２２】
ＴＳデコーダ部１１０は、地デジ復調部１０８、及び、ＢＳ／ＣＳ復調部１０９より受信したＭＰＥＧ−ＴＳ形式の信号をデコードすることにより、デジタルビデオ信号を生成し、これを映像選択・重畳部１１１へ出力する。
【００２３】
映像選択・重畳部１１１は、ＮＴＳＣデコーダ部１０７及びＴＳデコーダ部１１０より受信したデジタルビデオ信号（映像信号）をシステム制御部１１９の指示（制御命令）により選択・重畳し、表示部１１２へ出力する。また、映像選択・重畳部１１１は、メッセージメモリ部１１５よりメッセージ情報を受信し、デジタルビデオ信号へ当該メッセージ情報を重畳する。なお、デジタルビデオ信号の選択や重畳を行うか否かは、システム制御部１１９が判断する。
【００２４】
表示部１１２は、Ｄ／Ａコンバータ、モニター制御回路、モニター（表示パネル）などを有する（それらはいずれも不図示である）。表示部１１２は、映像選択・重畳部１１１
より受信したデジタルビデオ信号を、表示パネルに表示する。なお、表示パネルとしては、電子放出素子を有する表示パネル、液晶ディスプレイパネル、プラズマディスプレイパネル、有機ＥＬディスプレイパネルなどを適用すればよい。
【００２５】
ネットワークインタフェース部１１３は、インターネット１２２に接続される。具体的には、ネットワークインタフェース部１１３は外部ネットワークを介して映像コンテンツを搬送する機器に接続されている。当該機器がＩＰ（Ｉｎｔｅｒｎｅｔ  Ｐｒｏｔｏｃｏｌ）放送を行う機器である場合、ネットワークインタフェース部１１３は当該ＩＰ放送によるデジタルビデオ信号を受信する。なお、ネットワークインタフェース部１１３は、受信した信号がＭＰＥＧ−ＴＳ形式の場合、当該信号をＴＳデコーダ部１１０に送信し、デジタルビデオ信号に変換する。
【００２６】
外部インタフェース部１１４は、外部機器１２３と接続される。外部機器１２３は、ＨＤＤレコーダなどの録画・再生機器であり、外部インタフェース部１１４に対してデジタルビデオ信号を出力する。即ち、外部インタフェース部１１４は外部機器１２３からデジタルビデオ信号を受信する。なお、外部インタフェース部１１４は、受信した信号がＭＰＥＧ−ＴＳ形式の場合、当該信号をＴＳデコーダ部１１０に送信し、デジタルビデオ信号に変換する。
【００２７】
メッセージメモリ部１１５は、ユーザに対し表示するメッセージ情報、デジタル放送受信装置の機能のうち該メッセージ情報に関連する機能、及び、該機能の使用頻度（機能使用時間、機能使用回数など）を互いに関連付けて記憶する。以後、機能使用時間、機能使用回数などを併せたものを使用頻度情報と呼ぶ。さらに、メッセージ受信管理部１１７にて割り込み信号が発生した時刻を記憶する。割り込み信号は、例えば、メッセージ受信管理部１１７がメッセージ情報を受信した際に生成される。また、メッセージメモリ部１１５には、メッセージ情報が表示されたか否かのログ情報も記録される。メッセージ受信管理部１１７が未登録の新規メッセージ情報を受信した場合、当該新規メッセージ情報はメッセージメモリ部１１５に追加される。メッセージメモリ部１１５としては、不揮発性メモリやハードディスクなど種々の記憶媒体を適用することができる。
【００２８】
自己診断部１１６は、システム制御部１１９からの指示により、各機能ブロックに故障診断（故障しているか否かの診断；自己診断）を行わせる。各機能ブロックから得られた診断の結果（自己診断結果情報）はメッセージ受信管理部１１７に送られる。診断は、自動的に実行されるものであってもよいし、ユーザが明示して実行するものであってもよい。いずれの診断であっても、システム制御部１１９から診断の指示が送られる。
【００２９】
メッセージ受信管理部１１７は、図７に示すように、地デジ復調部１０８、ＢＳ／ＣＳ復調部１０９から送られるＴＳ信号、自己診断部１１６から送られる自己診断結果情報、各機能ブロックから送られる警告通知情報をそれぞれ解析する。
【００３０】
例えば、ＴＳ信号内にメッセージ情報が含まれているか否かを確認する。そして、ＴＳ信号内にメッセージ情報が含まれていた場合、自己診断部１１６からデータを受信した場合、及び、各機能ブロックから警告通知情報を受信した場合に、システム制御部１１９に対して割り込み信号を発生させる。また、それと共に、メッセージメモリ部１１５に割り込み信号の発生時刻及びログ情報の書き込み行う。メッセージ受信管理部１１７は、未登録のメッセージ情報を受信した場合、当該メッセージ情報を解析し、当該メッセージ情報とそれに関連する機能とを関連付ける。そして、新規メッセージ情報として当該メッセージ情報をメッセージメモリ部１１５に登録する。具体的には、新規メッセージ情報として、メッセージ情報、該メッセージ情報に関連する機能、及び、該機能の使用頻度を互いに関連付けてメッセージメモリ部１１５に登録する。なお、メッセージ情報がどの機能に関
連するかは、メッセージ情報の内容（文字列）から判断する。例えば、文字列に「ＢＳ」及び「視聴」という文言が含まれている場合には、ＢＳ放送の視聴に関連するものと判断する。
【００３１】
システム制御部１１９は、ＣＰＵ、プログラムが格納されたＲＯＭ、ワークＲＡＭなどから構成されており、上述した各機能を制御する。例えば、システム制御部１１９は、自己診断部１１６に対して各機能ブロックに故障診断を行うよう指示する。また、システム制御部１１９は、メッセージ受信管理部１１７より割り込み信号を受信すると、割り込みイベント（割り込み信号が何によって生じたものか）を判別する。具体的には、システム制御部１１９は、受信したメッセージ情報が緊急のものか否かを判別する。例えば、メッセージ受信管理部１１７内に記憶されている、メッセージ情報の種類を判別するための格納レジスタ情報を読み出し、メッセージ情報の種類を確認する。メッセージ情報の種類としては、放送局から送信される放送に関する付帯情報であるメッセージ情報、放送局から送信されるデジタル放送受信装置自身に関するメッセージ情報、システム内状態変化を表すメッセージ情報などがある。
【００３２】
また、システム制御部１１９は、受信したメッセージ情報に関連する機能の使用頻度（メッセージメモリ部１１５に記憶されている使用頻度情報）に基づいて、該メッセージ情報が表示すべきものか否か判断する（詳細は後述する）。そして、当該判断の結果に応じて受信したメッセージ情報を表示部１１２に表示するか否かを制御する。具体的には、システム制御部１１９は、受信したメッセージ情報が表示すべきものであると判断した場合、当該メッセージ情報を表示部１１２に表示する。また、システム制御部１１９は、受信したメッセージ情報が表示すべきものでないと判断した場合、当該メッセージ情報を表示部１１２に表示しない。なお、システム制御部１１９は、機能の使用頻度が高くなると、過去に当該機能の使用頻度が低いがために表示されなかったメッセージ情報を表示する。
【００３３】
なお、システム制御部１１９は、受信したメッセージ情報が緊急のメッセージ情報であると判別した場合、当該受信したメッセージ情報を直ちに表示部１１２に表示する。また、システム制御部１１９は、受信したメッセージ情報が緊急のメッセージ情報でないと判別した場合、該メッセージ情報を表示すべきものか否か判断し、その結果に応じて該メッセージ情報を表示部１１２に表示するか否か制御する。
【００３４】
使用頻度計測部１２０は、常時起動しており、各機能の使用を監視する。例えば、ＢＳ／ＣＳ放送を視聴した場合、その視聴時間及び回数をメッセージメモリ部１１５内に記録する。具体的には、上記視聴時間及び回数を、メッセージメモリ部１１５内に記憶されているＢＳ／ＣＳ放送の視聴に関連する機能の使用頻度（機能使用時間・機能使用回数）とする。
【００３５】
共通バス１２１は、各機能ブロック間で、各種データやコマンド（制御に関する情報；制御情報）を送受信するためのバスである。
【００３６】
以下に、本実施形態に係るメッセージ情報の取り扱いについて詳しく説明する。
【００３７】
先ず、メッセージメモリ部１１５に記憶されているメッセージ情報等のデータ構造について説明する。メッセージメモリ部１１５には、図２に示すように、メッセージ情報毎にその内容に関連する機能が関連付けられて記憶されている。例えば、「ＢＳ放送局の周波数が変更になりました」というメッセージ情報に対しては「ＢＳ視聴（ＢＳ放送の視聴）」及び「ＢＳ録画（ＢＳ放送の録画）」の機能が関連付けられている。また、それら各機能には使用頻度として使用回数や使用時間が関連付けられている。使用頻度は、ユーザがそれらの機能を使用する毎に更新される。当該更新は、上述したように使用頻度計測部１
２０が行う。具体的には、図３に示すように、或る機能が使用された場合、使用頻度計測部１２０は監視状況、つまり使用頻度情報をメッセージメモリ部１１５に送信する。そして、メッセージメモリ部１１５に使用頻度情報が当該機能（及び該機能に関連する機能）に関連付けて記録され、これらの情報が該機能の使用頻度（使用履歴）とされる。また、表示履歴として、メッセージメモリ部１１５には割り込み信号が発生した時間を表す情報、受信したメッセージ情報が表示されたか否かを表すログ情報なども記録される。
【００３８】
次に、使用頻度情報がメッセージメモリ部１１５に記憶されるまでの処理について図４を用いて説明する。
【００３９】
まず、ユーザが不図示の電源スイッチなどを用いて、番組の視聴を開始したとする（ステップＳ１０１）。次に、使用頻度計測部１２０が、当該番組の視聴が開始されたことを検出する（ステップＳ１０２）。そして、使用頻度計測部１２０は、ユーザが現在使用している機能を使用し終えるまでの時間を計測する（ステップＳ１０３）。ユーザが機能の使用を終えると、使用頻度計測部１２０は、それまでに計測された時間をメッセージメモリ部１１５に書き込む（ステップＳ１０４）。なお、メッセージメモリ部１１５には、累積時間及び累積回数を記憶するものとする。すなわち、すでに使用時間や使用回数が記憶されている場合には、記憶されている使用時間に計測された使用時間を加算し、記憶されている使用回数に１を加算する。累積時間及び累積回数は、例えば、最後にデジタル放送受信装置の電源を入れてからの累積時間及び累積回数であってもよいし、過去１週間分の累積時間及び累積回数などであってもよい。
【００４０】
次に、メッセージ情報を表示するか否かの判定方法について図５、図６を用いて詳細に説明する。先ず、図５を用いて、デジタル放送受信装置１００の電源がＯＮであり、ユーザがデジタル放送受信装置１００を使用していた場合の判定方法について説明する。
【００４１】
先ず、メッセージ受信管理部１１７が地デジ復調部１０８、ＢＳ／ＣＳ復調部１０９から送られるＴＳ信号、自己診断部１１６から送られる自己診断結果情報、各機能ブロックから送られる警告通知情報などを解析する（ステップＳ２０１）。具体的には、それらの情報の中にメッセージ情報があるか否かを確認する。そして、これらの情報の中にメッセージ情報があった場合、メッセージ受信管理部１１７はシステム制御部１１９に対して割り込み信号を発生する（ステップＳ２０２）。次に、システム制御部１１９は、割り込み信号を受信すると、メッセージ受信管理部１１７から、割り込み要因（割り込み信号が何によって生じたものか；割り込みイベント）を判別するための格納レジスタ情報を読み出す（ステップＳ２０３）。そして、システム制御部１１９は、読み出した格納レジスタ情報に基づいて、割り込み要因が緊急警報等の直ちに表示すべきメッセージ情報の受信によるものか否かを確認する（ステップＳ２０４）。
【００４２】
割り込み要因が直ちに表示すべきでないメッセージ情報（例えば、緊急警報以外のメッセージ情報；通常のメッセージ情報）の受信によるものである場合（ステップＳ２０４；ＮＯ）、当該メッセージ情報が表示すべきものか否か判定を行う。具体的には、そのような場合に、システム制御部１１９が、メッセージメモリ部１１５から割り込み要因に係るメッセージ情報を読み出す（ステップＳ２０８）。そして、システム制御部１１９は、受信したメッセージ情報の使用頻度（機能使用時間、機能使用回数など）に基づいて受信したメッセージ情報が表示すべきメッセージ情報か否かを判断する（ステップＳ２０９）。例えば、メッセージ情報に関連付けられている機能使用時間に基づいて判断する場合、当該機能使用時間が所定時間（例えば１分や１時間など）以上か未満かに応じてメッセージ情報が表示すべきメッセージ情報であるか否かを判断すればよい。具体的には、機能使用時間が所定時間以上である場合にメッセージ情報が表示すべきメッセージ情報であると判断し、機能使用時間が所定時間未満である場合にメッセージ情報が表示すべきメッセージ
情報でないと判断すればよい。
【００４３】
メッセージ情報が表示すべきものでないと判断された場合（ステップＳ２０９；ＮＯ）、システム制御部１１９がメッセージメモリ部１１５に対してステップＳ２０１においてメッセージ情報を受信したことを記録し、処理を終了する（ステップＳ２１２）。メッセージ情報が表示すべきメッセージ情報であると判断された場合（ステップＳ２０９；ＹＥＳ）、システム制御部１１９はメッセージメモリ部１１５に対してステップＳ２０１においてメッセージ情報を受信したことを記録する。そして、メッセージメモリ部１１５から受信したメッセージ情報を表示部１１２に送信する（ステップＳ２１０）。そして、表示部１１２が、現在表示している映像に重畳するように、メッセージ情報を表示する（ステップＳ２１１）。
【００４４】
割り込み要因が直ちに表示すべきメッセージ情報の受信によるものである場合（ステップＳ２０４；ＹＥＳ）、システム制御部１１９はメッセージメモリ部１１５に対してステップＳ２０１においてメッセージ情報を受信したことを記録する。そして、メッセージメモリ部１１５から割り込み要因に係るメッセージ情報を読み出す（ステップＳ２０５）。次に、受信したメッセージ情報を表示部１１２に送信する（ステップＳ２０６）。そして、表示部１１２が、現在表示している映像に重畳するように、メッセージ情報を表示する（ステップＳ２０７）。
【００４５】
なお、上記説明では、メッセージ情報を表示部１１２に送信するタイミングについて特に記載していないが、ステップＳ２０６の処理は、ステップＳ２０５の処理後直ちに行うことが好ましい。ステップＳ２０６ではメッセージ情報が直ちに表示すべきものであるため、そのようにすることで、ユーザに緊急の情報を迅速に伝えることができる。
【００４６】
また、ステップＳ２１０では、ステップＳ２０９の処理の直後や、メッセージメモリ部１１５にメッセージ情報の受信を記録した直後にメッセージ情報を表示部１１２に送信してもよいし、そうでなくてもよい。例えば、視聴ソースが切り換わった際に、受信したメッセージ情報が表示部１１２に表示されるようにしてもよいし、受信したメッセージ情報に関連する機能が使用された際に、当該メッセージ情報が表示部１１２に表示されるようにしてもよい。具体的には、システム制御部１１９が、ユーザが視聴ソースを切り換えたことを検知し、当該切り換え検知後、メッセージ情報を表示部１１２に送信するようにしてもよい。また、システム制御部１１９が、ユーザがメッセージ情報に関連する機能（関連機能）を使用したことを検知し、当該関連機能の使用を検知後、メッセージ情報を表示部１１２に送信するようにしてもよい。このように表示部１１２へメッセージ情報を送信するタイミングを規定することによって、ユーザの視聴の妨げをより軽減する形態を得ることができる。
【００４７】
次に、図６を用いて、デジタル放送受信装置１００の電源がＯＦＦ（スタンバイ状態）であった場合の判定方法について説明する。なお、ステップＳ２０８までは図５と同様の処理が行われるものとし、その説明は省略する。
【００４８】
図６の例では、ステップＳ２０８の後、システム制御部１１９が、受信したメッセージ情報の使用頻度に基づいて、受信したメッセージ情報が表示すべきメッセージ情報か否かを判断する（ステップＳ３１０）。メッセージ情報が表示すべきメッセージ情報であると判断された場合（ステップＳ３１０；ＹＥＳ）、システム制御部１１９は、メッセージメモリ部１１５に対してステップＳ２０１においてメッセージ情報を受信したことを記録する（ステップＳ３１１）。そして、システム制御部１１９はデジタル放送受信装置１００の電源がＯＮ（ＯＮ状態）になるまで待機する（ステップＳ３１２）。デジタル放送受信装置１００の電源がＯＮにされると、システム制御部１１９が、メッセージメモリ部１１
５から受信したメッセージ情報を表示部１１２に送信する（ステップＳ３１３）。そして、表示部１１２が、現在表示している映像に重畳するように、メッセージ情報を表示する（ステップＳ３１４）。即ち、デジタル放送受信装置がスタンバイ状態のときに受信したメッセージ情報が表示すべきものである場合、当該メッセージ情報はデジタル放送受信装置がＯＮ状態に切り換わった際に表示部１１２に表示される。
【００４９】
メッセージ情報が表示すべきものでないと判断された場合（ステップＳ３１０；ＮＯ）、システム制御部１１９は、メッセージメモリ部１１５に対してステップＳ２０１においてメッセージ情報を受信したことを記録して処理を終了する（ステップＳ３１５）。
【００５０】
以上述べたように、本実施例によれば、メッセージ情報がデジタル放送受信装置の機能（当該メッセージ情報に関連する機能）に関連付けられている。そして、ユーザがデジタル放送受信装置を使用した際に、どの機能を利用したのかが使用頻度が更新される。そして、メッセージ情報を受信した場合に、当該メッセージ情報に関連する機能の使用頻度に応じてメッセージ情報の表示・非表示を制御する。それにより、ユーザ使用用途に関連の深い（重要度の高い）メッセージ情報を優先して表示し、逆に関連の浅い（重要度の低い）メッセージ情報に関しては表示優先度を下げることができる。そのため、ユーザの不快感を低減することができる。
【００５１】
なお、図６の例において、割り込み要因が直ちに表示すべきメッセージ情報の受信によるものである場合（ステップＳ２０４；ＹＥＳ）は、デジタル放送受信装置の電源を自動的にＯＮにしてメッセージ情報を表示部１１２に表示すればよい。その場合、ユーザがデジタル放送受信装置の近くにいないことも考えられるため、自動的に電源がＯＮされてから所定時間後、自動的に電源をＯＦＦにするようにしてもよい。ステップＳ２０４の判定結果によらずステップＳ２０８に進むようにしてもよい。
【００５２】
＜実施例２＞
ユーザがデジタル放送受信装置１００で番組を視聴している場合、メッセージ情報の表示によって当該視聴を妨げられたくないという要求がある。そこで、本実施例では、メッセージ情報を表示するタイミングを工夫する。具体的には、放送（放送信号）がＣＭ（Ｃｏｍｍｅｒｃｉａｌ  Ｍｅｓｓａｇｅ）など番組以外を表す放送信号の場合にメッセージ情報を表示する。
【００５３】
なお、メッセージ情報を表示するタイミングは、ユーザによって選択可能なものであってもよい。例えば、ユーザが、不図示のリモコン等を用いて、メッセージ情報を放送信号の種類によらず表示するか、放送信号がＣＭを表す信号の場合にのみメッセージ情報を表示するかなどを選択可能としてもよい。本実施例では、メッセージ情報を放送信号の種類によらず表示するか（表示制限ＯＦＦモード）、放送信号がＣＭを表す信号の場合にのみメッセージ情報を表示するか（表示制限ＯＮモード）を切り換え可能な構成とする。
【００５４】
本実施例に係るデジタル放送受信装置２００は、図８に示すように、図１に示す実施例１の構成に加えＣＭ検出部１２５を更に有する。
【００５５】
ＣＭ検出部１２５は、システム制御部１１９の指示に応じて、ＮＴＳＣデコーダ部１０７、地デジ復調部１０８、及び、ＢＳ／ＣＳ復調部１０９からデジタルビデオ信号を取得し、ユーザが視聴している放送信号がＣＭを表す信号か否かを検出する。ユーザが視聴している放送信号がＣＭを表す信号であった場合、ＣＭ検出部１２５は、ＣＭ放送中であることを表すＣＭ検出信号をシステム制御部１１９へ送信する。システム制御部１１９は、当該ＣＭ検出信号を受信した後に、表示部１１２に受信したメッセージ情報を送信する。ＣＭを表す信号を検出する手法としては、映像認識による手法や音声認識による手法など
、従来技術を適用すればよい。
【００５６】
以下に、本実施例に係るデジタル放送受信装置におけるメッセージ情報を表示するか否かの判定方法について図９を用いて詳細に説明する。なお、ステップＳ２０８までは実施例１と同様の処理が行われるものとし、その説明は省略する。
【００５７】
図９の例では、ステップＳ２０８の後、システム制御部１１９が、受信したメッセージ情報の使用頻度に基づいて、受信したメッセージ情報が表示すべきメッセージ情報か否かを判断する（ステップＳ４１０）。メッセージ情報が表示すべきメッセージ情報であると判断された場合（ステップＳ４１０；ＹＥＳ）、システム制御部１１９は、メッセージメモリ部１１５に対してステップＳ２０１においてメッセージ情報を受信したことを記録する（ステップＳ４１１）。そして、システム制御部１１９は、表示制限ＯＮモードが選択されているか否かを判断する（ステップＳ４１２）。
【００５８】
表示制限ＯＮモードが選択されている場合（ステップＳ４１２；ＹＥＳ）、システム制御部１１９は、放送信号がＣＭを表す信号であるか否かを検出してメッセージ情報の表示を試みる。具体的には、システム制御部１１９は、ＣＭ検出部１２５に対して、放送信号がＣＭを表す信号であるか否かを検出するよう指示する（ＣＭトリガ発生命令を送信する）（ステップＳ４１５）。ＣＭ検出部１２５は、ＣＭトリガ発生命令を受信すると、デジタルビデオ信号を取得（監視）し、ユーザが視聴している放送信号がＣＭを表す信号であるか否かを検出する。ＣＭを表す信号が検出された場合（ステップＳ４１６；ＹＥＳ）、ＣＭ検出信号がシステム制御部１１９に入力され、システム制御部１１９は、ＣＭ放送中であることを認識する。そして、システム制御部１１９は、メッセージメモリ部１１５から受信したメッセージ情報を表示部１１２に送信する（ステップＳ４１７）。そして、表示部１１２が、現在表示している映像に重畳するように、メッセージ情報を表示する（ステップＳ４１８）。即ち、受信したメッセージ情報が表示すべきものであると判断された場合、当該メッセージ情報は、放送信号がＣＭを表す信号であることが検出された際に表示部１１２に表示される。
【００５９】
表示制限ＯＦＦモードが選択されている場合（ステップＳ４１２；ＮＯ）、ステップＳ４１３，ステップＳ４１４の処理として、図５のステップＳ２１０，ステップＳ２１１（ステップＳ３１３，ステップＳ３１４）の処理と同様の処理が行われる。また、メッセージ情報が表示すべきメッセージ情報でないと判断された場合（ステップＳ４１０；ＮＯ）、ステップＳ４１９の処理として、ステップＳ２１２（ステップＳ３１５）と同様の処理が行われる。
【００６０】
以上述べたように、本実施例によれば、番組放送中にメッセージ情報が表示されることを防ぐことができるため、ユーザの不快感を低減することができる。
【００６１】
なお、図９の例において、割り込み要因が直ちに表示すべきメッセージ情報の受信によるものである場合（ステップＳ２０４；ＹＥＳ）は、放送信号がＣＭを表す信号であるか否かによらずメッセージ情報を表示部１１２に表示すればよい。また、ステップＳ２０４の判定結果によらずステップＳ２０８に進むようにしてもよい。
【００６２】
以上述べたように、上記実施例１，２によれば、メッセージ情報の表示によるユーザの不快感を低減し、且つ、ユーザにとって有益なメッセージ情報を表示することのできる。
【００６３】
なお、本実施形態では表示部がデジタル放送受信装置に含まれる構成について説明したが、表示部はデジタル放送受信装置と独立した表示装置（即ち、デジタル放送受信装置に接続される表示装置）であってもよい。
【図面の簡単な説明】
【００６４】
【図１】図１は、実施例１に係るデジタル放送受信装置の機能構成を大まかに示すブロック図である。
【図２】図２は、メッセージメモリ部に記憶されているメッセージ情報等のデータ構造の一例を示す図である。
【図３】図３は、使用頻度計測部による処理の一例を示す図である。
【図４】図４は、使用頻度情報がメッセージメモリ部に記憶されるまでの処理の流れを示すフローチャートである。
【図５】図５は、実施例１における、メッセージ情報を表示するか否かの判定方法の一例を示すフローチャートである。
【図６】図６は、実施例１における、メッセージ情報を表示するか否かの判定方法の一例を示すフローチャートである。
【図７】図７は、メッセージ受信管理部による処理の一例を示す図である。
【図８】図８は、実施例２に係るデジタル放送受信装置の機能構成を大まかに示すブロック図である。
【図９】図９は、実施例２における、メッセージ情報を表示するか否かの判定方法の一例を示すフローチャートである。
【符号の説明】
【００６５】
１００，２００  デジタル放送受信装置
１１１  映像選択・重畳部
１１２  表示部
１１５  メッセージメモリ部
１１７  メッセージ受信管理部
１１９  システム制御部
１２０  使用頻度計測部
１２５  ＣＭ検出部
【図１】
2010081186.tif 000003
【図２】
2010081186.tif 000004
【図３】
2010081186.tif 000005
【図４】
2010081186.tif 000006
【図５】
2010081186.tif 000007
【図６】
2010081186.tif 000008
【図７】
2010081186.tif 000009
【図８】
2010081186.tif 000010
【図９】
2010081186.tif 000011